(57)【要約】【課題】  簡単な構造で、製造し易く、かつカード挿抜の操作もし易いトレイタイプのカードコネクタを提供する。【解決手段】  カードを収容できるトレイと、前記トレイが移動可能な空間を有するコネクタ本体と、前記コネクタ本体に設けられた複数のコンタクトとを備えるトレイタイプのカードコネクタであって、前記トレイは、少なくとも左右の側壁部でカードを収容できる収容空間が設けられ、前記トレイの移動に伴い前記コネクタ本体に形成された空間内を上下動するスライダを有する。【選択図】    図１
2006252824.tif 000002
【特許請求の範囲】
【請求項１】
カードを収容できるトレイと、
前記トレイが移動可能な空間を有するコネクタ本体と、
前記コネクタ本体に設けられた複数のコンタクトと、
を備えるトレイタイプのカードコネクタであって、
前記トレイは、少なくとも左右の側壁部でカードを収容できる収容空間が設けられ、
前記トレイの移動に伴い前記コネクタ本体に形成された空間内を上下動するスライダを有することを特徴とするトレイタイプのカードコネクタ。
【請求項２】
前記スライダは、前記トレイの左右の側壁部の存在により上方に位置し、該側壁部が存在しないことにより下方に位置することを特徴とする請求項１に記載のトレイタイプのカードコネクタ。
【請求項３】
前記トレイの前記左右の側壁部には、前記スライダの長さに対応する長さを有する切欠凹部が形成されていることを特徴とする請求項２に記載のトレイタイプのカードコネクタ。
【請求項４】
前記スライダの上下動は、前記コネクタ本体の左右の側壁に形成されたガイド用凹部に案内されることを特徴とする請求項１に記載のトレイタイプのカードコネクタ。
【請求項５】
前記コネクタ本体は、インシュレータとカバー部材とで形成され、
前記カバー部材には、カードのみに当接する付勢部材が設けられることを特徴とする請求項１ないし４のいずれかに記載のトレイタイプのカードコネクタ。
【請求項６】
前記カバー部材の前方に、ロック爪が設けられ、
前記トレイ側壁部前方に、前記ロック爪に係合する係合用開孔を有する弾性変形可能なロック具が設けられ、
前記ロック爪と前記ロック具とでトレイをロックするトレイロック機構を構成することを特徴とする請求項１ないし５のいずれかに記載のトレイタイプのカードコネクタ。
【請求項７】
前記コネクタ本体には、前記スライダが上下動する窓が形成されていることを特徴とする請求項１ないし６のいずれかに記載のトレイタイプのカードコネクタ。
【発明の詳細な説明】
【技術分野】
【０００１】
本発明は、携帯電話機や電話機、ＰＤＡ（personal  digital  assistance）、携帯型オーディオ、カメラ等の電子機器や情報端末機器等に取付けられるトレイタイプのカードコネクタに関し、より詳細には、カード挿抜時におけるコンタクト接点部の削れを防止するようにしたトレイタイプのカードコネクタに関する。
【背景技術】
【０００２】
近年、携帯電話機や電話機、ＰＤＡ（personal  digital  assistance）、携帯型オーディオ、カメラ等の電子機器や情報端末機器等においては、ＩＣチップと呼ばれるＩＣ部品が組込まれたＩＣカードやＳＤカード等のカードの利用が非常に増大し、このようなＩＣカードやＳＤカード等のカードを挿入するカードコネクタが広く求められている。
【０００３】
この種のカードコネクタにおいて、カードコネクタの落下衝撃時のカードの飛び出しを防止し、傾斜したり、ねじれたりした状態でカードが挿抜される（その結果、カードが破損する恐れがある。）ことを避けるとともに、カードの姿勢を正しく保持し、カードの外部端子とコネクタのコンタクトとの接触を確実にするために、例えば、特許文献１に示されるような、カードが受容されるトレイを利用したトレイタイプのカードコネクタが提案されている。
【０００４】
ところで、従来のカードコネクタにおいては、コネクタにカードを挿入すると、カード先端部からコンタクトの接点部がカードに接触し始め、カードを抜き去られるまで、該コンタクトの接点部は、常に接触状態を維持する。コンタクトの接点部とパッド及びカード自体との接触は、摩擦を伴う接触であるので、カード挿抜を繰り返すと、カードの形状、材質の違いにもよるとしても、コンタクトの接点部表面が削れ、コンタクト表面に施されているメッキ層がはがれ、それにより、コンタクトとパッドとの電気的接触が不良となる恐れがある。これを防止するために、例えば特許文献２に示されるように、カード挿抜時、コンタクトの接点部がカードから離れているようにしたゼロインサーション・カードコネクタも提案されている。
【０００５】
【特許文献１】特開２０００−１４８９２７号公報
【特許文献２】特開平７−１９６２９号公報
【発明の開示】
【発明が解決しようとする課題】
【０００６】
しかしながら、提案されている従来のゼロインサーション・カードコネクタは、構造が複雑であり、部品点数も多く、製造に時間がかかるとともにコストも高い。また、カード挿抜の操作性も悪い。
【０００７】
本発明の目的は、上記問題点に鑑み、トレイタイプのカードコネクタにおいて、簡単な構造で、製造し易く、かつカード挿抜の操作もし易いトレイタイプのカードコネクタを提供することにある。
【課題を解決するための手段】
【０００８】
上記目的を達成するために、本発明に係るトレイタイプのカードコネクタは、カードを収容できるトレイと、前記トレイが移動可能な空間を有するコネクタ本体と、前記コネクタ本体に設けられた複数のコンタクトとを備えるトレイタイプのカードコネクタであって、前記トレイは、少なくとも左右の側壁部でカードを収容できる収容空間が設けられ、前記トレイの移動に伴い前記コネクタ本体に形成された空間内を上下動するスライダを有することを特徴とする。
【０００９】
また、前記スライダは、前記トレイの左右の側壁部の存在により上方に位置し、該側壁部が存在しないことにより下方に位置することを特徴とする。
【００１０】
さらに、前記トレイの前記左右の側壁部には、前記スライダの長さに対応する長さを有する切欠凹部が形成されていることを特徴とする。
【００１１】
また、前記スライダの上下動は、前記スライダ本体の左右の側壁に形成されたガイド用凹部に案内されること、前記コネクタ本体は、インシュレータとカバー部材とで形成され、前記カバー部材には、カードのみに当接する付勢部材が設けられること、前記カバー部材の前方に、ロック爪が設けられ、前記トレイ側壁部前方に、前記ロック爪に係合する係合用開孔を有する弾性変形可能なロック具が設けられ、前記ロック爪と前記ロック具とでトレイをロックするトレイロック機構を構成すること及び前記コネクタ本体には、前記スライダが上下動する窓が形成されていることが好ましい。
【発明の効果】
【００１２】
本発明のトレイタイプのカードコネクタは、トレイの側壁により上下動されるスライダを備えることで、コンタクトやカードのパッドの削れが防止され、それにより電気的接触不良を起こすことがなく、カードコネクタの信頼性を向上させることができる。また、トレイの側壁を利用してスライダを上下動させているので構造が簡単であり、製造も容易で、コストも安価になる。
また、カバー部材に付勢部材を、また、トレイにリブを備えることにより、装着されるカードをしっかりと固定できる。それにより、カードコネクタのコンタクトとカードのパッドとの瞬断が防止できる。
【００１３】
ロック爪とロック具とからなるロック機構を備えることにより、カードの固定を確実にするとともに、トレイの抜けを防止できる。
【発明を実施するための最良の形態】
【００１４】
以下、図１〜５を用いて本発明に係る実施態様を説明する。図１は、本発明に係るトレイタイプのカードコネクタの斜視図であって、このカードコネクタにカードを挿入する直前の状態を示している。図２は、図１に示されるトレイタイプのカードコネクタであって、（ａ）は、上面図、（ｂ）は、右側面図、（ｃ）は、（ａ）のＡ−Ａ断面図、（ｄ）は、（ａ）のＣ−Ｃ断面図である。図３は、図１のトレイタイプのカードコネクタであって、このカードコネクタにカードを挿入した後の状態を示しており、（ａ）は、上面図、（ｂ）は右側面図、（ｃ）は、（ａ）のＤ−Ｄ断面図、（ｄ）は、（ａ）のＥ−Ｅ断面図である。図４は、図１（ｃ）の円Ｂで囲まれた部分の拡大図である。図５は、図１（ａ）のＦ−Ｆ断面図であり、（ａ）は、スライダがある場合を示し、（ｂ）は、スライダを取り除いた場合を示す。図６は、図１のトレイタイプのカードコネクタの板金カバーの斜視図である。なお、本明細書においては、図１（ａ）において、右（方向）を前（方向）、左（方向）を後（方向）といい、上（方向）を左（方向）、下（方向）を右（方向）といい、図１（ｂ）において上、下（方向）を上、下（方向）という。
【００１５】
カードコネクタ１は、概ね、インシュレータ１０、板金カバー２０、トレイ３０、複数のコンタクト４０、トレイロック機構５０、及びスライダ６０を備えている。
【００１６】
インシュレータ１０は、ＬＣＰ（液晶ポリマー）や９Ｔナイロンのような、絶縁性で融点の高い合成樹脂材料からなる。インシュレータ１０は、上壁１１、後壁１２、左側壁１７（図５（ａ）、（ｂ）参照）、及び右側壁（不図示）を有し、下方及び前方が開放されている。上壁１１には、図１、図２（ａ）に示されるように、その前端において切欠凹部１３を形成され、また後方寄りに後述するスライダ６０が上下動するための窓１５が形成され、さらに、上壁１１の後端と後壁１２との間に複数の端子用切欠１４が形成されている。窓１５の形状は、スライダ６０の形状に相似しており、本実施例では、図１、図２（ａ）に示されるように、略Ｃ字形をしている。本実施例では、スライダ６０が上下動するための窓１５を設けているが、当該窓１５を設けなくてもよい。但し、この場合、スライダ６０は、上壁１１の下の空間で上下動することになり、コネクタの高さが若干高くなる。したがって、コネクタの低背化を図るためには、本実施例のほうが好ましい。なお、１６は、切欠凹部１３の底辺に設けられている端子用切欠、１８は、左右側壁に形成されているスライダ６０の上下動を案内するガイド用凹部、１９は、ガイド用凹部１８の底辺に形成される、スライダ６０の下方への移動を規制する停止用段部である。
【００１７】
インシュレータ１０を覆うカバー部材としての板金カバー２０は、金属製の比較的薄い板からなり、図６に明瞭に示されるように、底壁２１、右側壁２３ａ、左側壁２３ｂを有し、後方は、付勢部材としての一対の押圧バネ２２ａ、２２ｂが底壁２１後端から切り起こされることで塞がれており、実質上、上方及び前方が開放している。板金カバー２０の左側壁２３ｂ前端には、底壁２１から延びる切り起こし片を略ロ字状に折り曲げることで、該切り起こし片先端に、後述するトレイロック機構５０の一部を構成するロック爪２４が形成される。したがって、該ロック爪２４は、左側壁２１ｂと平行に、かつ下方に向かって延在する。また、付勢部材としての一対の押圧バネ２２ａ、２２ｂは、その自由端が互に向かい合い、前方から後方に向かって末広がり（ハ字状）となるように配置される。また、一対の押圧バネ２２ａ、２２ｂは、後述するトレイ３０の底板３３には当接せず、トレイ３０に収容されているカード８０にのみ当接するように形成される。それにより、一対の押圧バネ２２ａ、２２ｂの自由端が挿入されるカードに当接して後、カードがさらに挿入されると、一対の押圧バネ２２ａ、２２ｂは、カード８０のみを前方に押し返すように作用する。なお、２５ａ、２５ｂは、それぞれ右側壁２３ａ及び左側壁２３ｂから互に向かって折り曲げられた固定金具であり、２６は、インシュレータ１０の切欠凹部１３に対応して設けられた該切欠凹部１３と同様の切欠凹部である。固定金具２５ａ、２５ｂを介してカードコネクタ１が電子機器等のボード（不図示）に半田付けされる。さらに、２７ａ、２７ｂは、一対の突起であり、トレイ３０の移動を案内するとともにトレイ３０の抜けを防止する。
【００１８】
板金カバー２０は、図１に示されるように、上記インシュレータ１０を覆うようにして重ね合わされ、それにより、前方が開放した空間７０を有するコネクタ本体としての筐体を形成する。該空間７０内には、後述するトレイ３０が前後方向に移動自在に取り付けられる。本実施例においては、カバー部材を板金製としているがこれに限られるものではなく、インシュレータと同じ部材又は異なる合成樹脂で作られてもよい。また、カバーとインシュレータとが一体成形で作成されてもよい。
【００１９】
トレイ３０は、インシュレータ１０と同じか異なる絶縁性合成樹脂からなり、上記したように、インシュレータ１０と板金カバー２０とで形成される筐体の空間７０内を前後方向に摺動できるように、該空間７０内に設けられる。
【００２０】
トレイ３０は、概ね、前壁部３１、後壁部３５、右側壁部３４ａ、左側壁部３４ｂ、底板３３及びトレイロック機構５０の一部を構成するロック金具３７を備えている。
【００２１】
トレイ３０の前壁部３１は、トレイ３０が、空間７０内に完全に入り込まないように左右の側壁部より一段高く形成されている。前壁部３１の内側面（後方面）には、底板３１上面からカード８０の厚さ分上方の左右２箇所にリブ３２が突出形成される。本実施態様では、前壁部３１は、左右両端部近傍のみに形成され、中央部分が切り欠かれているが、これはカードの取出しを容易にするための構成であり、前壁部３１は、左右幅方向全体にわたって延在していてもよい。
【００２２】
トレイ３０の後壁部３５は、トレイ３０に収容される（すなわち、カードコネクタ１に挿入される）カードの前後方向の長さより若干長い距離（カードの公称長さ＋公差）分、前壁部３１と離れて（より具体的には、前壁部３１の内側面と後壁部３５の内側面との間の距離がカードの長さより若干大きい距離分離れて）形成される。該後壁部３５は、カード８０の後端８３の位置決めをする機能を有すればよいので、本実施形態の前壁部３１と同様、左右両端部近傍にのみ形成されていてもよいし、図２（ａ）に示されるように、前記一対の押圧バネ２２ａ、２２ｂの間の中央部分にのみ設けられていてもよい。
【００２３】
トレイ３０の右側壁部３４ａは、図１、図２（ａ）、（ｂ）に示されるように、不連続であり、前方から第１右側壁３４ａ１、第２右側壁３４ａ２、第３右側壁３４ａ３、の３つの壁で形成されている。これらの側壁の高さは、空間７０の高さより若干低く、カード８０の厚さより若干高く形成される。第１右側壁３４ａ１の前方側は、前壁部３１に接続し、該前壁部３１との接続部分で傾斜壁３９を形成している。該傾斜壁３９は、カード８０の誤挿入を防止するためのものであり、カード８０の傾斜壁８４に対応している。第２右側壁３４ａ２は、トレイ３０が空間７０内に完全に装着されたとき、後述するスライダ６０の右開孔６１ａ内に緩く嵌まり込む大きさに設けられている。なお、第２右側壁３４ａ２の前方端は、傾斜面３４ａ２１として形成されている。また、第３右側壁３４ａ３の前方及び後方端も、それぞれ傾斜面３４ａ３１及び３４ａ３２として形成されている。このような傾斜面を形成することにより、トレイ３０の空間７０内への進入に伴うスライダ６０の押し上げを円滑にする。したがって、第３右側壁３４ａ３の後方端は、後壁部３５より少し後方にまで延在していることが好ましい（図２（ｃ）参照）。また、第１右側壁３４ａ１の後方端と第３右側壁３４ａ３の前方端との間の距離は、後述するスライダ６０の前後方向の長さＬ１より若干長い。すなわち、第１右側壁３４ａ１後方端と第３右側壁３４ａ３の前方端との間は、スライダ６０が緩く嵌まり込む切欠部として機能する。
【００２４】
トレイ３０の左側壁部３４ｂは、右側壁部３４ａと同様不連続であり、前方から第１左側壁３４ｂ１、第２左側壁３４ｂ２、第３左側壁３４ｂ３、の３つの壁で形成されている。これらの側壁の高さは、右側壁３４ａと同様、空間７０の高さより若干低く、カード８０の厚さより若干高く形成される。
【００２５】
第１左側壁３４ｂ１の前方側は、前壁部３１に接続し、該前壁部３１との接続部分外側（左側）に、トレイロック機構５０を構成するロック金具３７及びロック金具支持部材３８が設けられる。ロック金具３７は、１つの細長い金属片からなり、押圧操作部３７ａ、弾性変形部３７ｃ、係合用開孔３７ｂ、及び固定部（不図示）を有している。押圧操作部３７ａは、押圧操作を容易にするため弾性変形部３７ｃから上方に逆Ｕ字状に突出形成されている。弾性変形部３７ｃは、通常第１左側壁３４ｂ１に沿って前後方向水平に延在し、押圧操作部３７ａを押し下げることで下方に変形する。係合用開孔３７ｂは、弾性変形部３７ｃ前方に設けられており、トレイ３０が空間７０内に完全に装着されたとき、上記板金カバー２０に形成されているロック爪２４に係合する。この構成により、トレイ３０は、空間７０からの抜け落ち又は飛び出しが防止される。固定部は、弾性変形部３７ｃ後方側で折り曲げられ、ロック金具支持部材３８に形成される取り付け孔内に圧入、固定される。ロック金具支持部材３８は、トレイ３０と一体成形され、該部材３８上方には、ロック金具３７の押圧操作部３７ａ及び弾性変形部３７ｃが変形できる変形空間（不図示）が形成されている。
【００２６】
第２左側壁３４ｂ２、第３左側壁３４ｂ３については、上記第２、３右側壁３４ａ２、３４ａ３と同じ形状、位置を有し、かつ第２、３右側壁３４ａ２、３４ａ３と対称的に配置されている。
【００２７】
トレイ３０の底板３３は、平坦に形成されており、その底面（下面）には、前端から後方に向けて平行な２つのガイド溝（不図示）が形成されており、このガイド溝内を板金カバー２０の底壁２１から突出形成されている一対の突起２７ａ、２７ｂが相対的に移動する。該ガイド溝は、底板３３の後端に達しない位置で終わっており、したがって、トレイ３０は、図１（ａ）〜（ｄ）に示される位置にまで引き出されて、停止する。この構成により、トレイ３０は、空間７０内から抜け落ちを防止することができる。また、底板３３の前方は、前壁部３１の切欠部から連続し、板金カバー２０の切欠凹部２６に対応して切欠凹部（不図示）が設けられていることが好ましい。この場合、上記２つの平行なガイド溝は、該切欠凹部の外側に配置されることが容易に理解されるであろう。
【００２８】
以上述べた前壁部３１、後壁部３５、右側壁部３４ａ、左側壁部３４ｂ、底板３３とでカード８０を収容するカード収容空間がトレイ３０に形成される。
【００２９】
複数のコンタクト４０は、挿入されるカード８０の外部接点であるパッド８１に対応して設けられる。複数のコンタクト４０は、コンタクト４０各々が前後方向に延在するように、かつ、互に平行にインシュレータ１０に固定されている。本実施態様では、カード８０の６つのパッド８１の２列の配列に対応して、３本のコンタクト４０が互に平行に配列され、これと対向するように残りの３本のコンタクト４０が互に平行に配列されている。
【００３０】
コンタクト４０各々は、先端部４１、接点部４２、弾性変形部４３、固定部４４、及び端子部４５を有している。先端部４１は、後述するスライダ６０の凹溝６２に載置される。該先端部４１に続く接点部４２は、円弧状に下方に突出し、カード８０が存在しないとき、図２（ｃ）、図４に示されるように下方に位置している。該接点部４２は、トレイ３０が完全に空間７０内に装着されると、カードの厚さ分押し上げられた状態で、トレイ３０に収容されているカード８０のパッド８１に所望の接圧で接触する。接点部４２に続く弾性変形部４３は、接点部４２が押し上げられたときその変形を吸収するとともに接点部４２を下方に付勢する。弾性変形部４３に続く固定部４４は、これに限られるものではないが、例えば、インシュレータ１０に平行に形成されている複数の固定溝それぞれに圧入固定される。固定部４４に続く端子部４５は、インシュレータ１０に設けられている端子用切欠１４、１６から上方に突出し、カードコネクタ１が取り付けられる電子機器などのボードの印刷回路の外部接点（不図示）に半田付けされ、電気的に接続される。
【００３１】
トレイロック機構５０は、上述したように、板金カバー２０の左側壁２３ｂに設けられたロック爪２４及びトレイ３０の第１左側壁３４ｂ１前方外側に設けられたロック金具３７により構成される。本実施例では、トレイロック機構５０は、主として金属で作られているが、これに限られるものではなく、例えば、全て合成樹脂で作られていてもよい。
【００３２】
スライダ６０は、インシュレータ１０と同じ又は異なる絶縁性の合成樹脂からなる板状体であって、インシュレータ１０の側壁に設けられているガイド用凹部１８に沿って、インシュレータ１０に形成されている窓１５内を上下動する。スライダ６０には、トレイ３０の第２右側壁３４ａ２及び第２左側壁３４ｂ２がそれぞれ出入可能な一対の右開孔６１ａ及び左開孔６１ｂ、及び複数のコンタクト４０の先端部４１が個々に載置される複数の凹溝６２が形成されている。さらに、スライダ６０の左右両側端部の前方端及び後方端、及び一対の左右開孔６１ｂ、６１ａの前方端は、それぞれ傾斜面６３、６４、６５として形成されていることが好ましい（図２（ｄ）参照）。
【００３３】
スライダ６０の幅は、トレイ３０の幅（より具体的には、トレイの右側壁部３４ａの外側面と左側壁部３４ｂの外側面との間の距離Ｗ２）より若干長い長さＷ１を有し、トレイ３０より突出する左右両側端部は、インシュレータ１０の左右両側壁に形成されているガイド凹部１８に緩く嵌まり込むように形成されている。また、スライダ６０の前後方向の長さは、本実施例では、中央部分で短く（長さＬ１）、左右両側端部で長く（長さＬ２）形成され、図に示されるように、スライダ６０の上から見た形状は、略Ｃ字状を成している。スライダ６０の中央部分の長さが短いのは、カード８０の２列のパッド８１の間隔に対応させるためであり、左右両側部が長いのは、スライダ６０ができるだけ水平位置を維持して上下動できるようにするためである。スライダ６０の上から見た形状はこれに限られるものではなく、例えば、カード８０の２列のパッド８１の間隔が十分あれば、スライダ６０の上から見た形状は略矩形状であってもよい。
【００３４】
該スライダ６０は、図２（ｃ）、（ｄ）又は図５（ａ）に示されるように、カードが存在しないとき、それ自身の重力とコンタクト４０の弾性により、ガイド用凹部１８の底辺部に形成される停止用段部１９に押し付けられ、結果として、板金カバー２０の底壁２１から上方に浮いた状態で保持されている。停止用段部１９の底壁２１からの距離、すなわちスライダ６０の底壁２１から上方に浮いている量は、略トレイ３０の底板３３の厚さに等しい。
【００３５】
ここで、上述した構成を有するカードコネクタ１におけるカード８０の装着、取り出し動作に付き説明する。
【００３６】
最初に、図１又は図２（ａ）〜（ｄ）に示されるように、カードコネクタ１の空間７０から引き出されているトレイ３０内に、カード８０の後端をトレイ３０の後壁部３５に係止させるようにして、カード８０を載せる。このとき、カード８０に形成されている傾斜面８４とトレイ３０内に形成されている傾斜面３９とを合わせることで、カード８０は正しい姿勢をとることができる。
【００３７】
次に、図１又は図２（ａ）〜（ｄ）に示される状態から、トレイ３０を後方に押し込んでゆくと、トレイ３０の第３右側壁部３４ａ３（及び第３左側壁部３４ｂ３）の後方端傾斜面３４ａ３２が浮いた状態にあるスライド６０の下に入り込み、スライド６０の前方端に形成されている傾斜面６３と共同し、スライド６０をコンタクト４０の弾性力に抗して徐々に押し上げ、トレイ３０の押し込みが進むと、スライド６０は、左右両側壁部３４ａ、３４ｂの高さまで上昇する。このようなスライド６０の上昇により、トレイ３０の押し込みがさらに進んでも、トレイ３０に載置されているカード８０自体及びそのパッド８１がコンタクト４０の接点部４２に触れることがない。
【００３８】
カード８０の押し込みがさらに進むと、カード８０の後端が一対の押圧バネ２２ａ、２２ｂに当接する。押圧バネ２２ａ、２２ｂの弾性力に抗してトレイ３０をさらにカードコネクタ１の空間７０内に押し込むと、トレイ３０に設けられているロック金具３７の弾性変形部３７ｃが、ロック爪２４に接触し、押し下げられる。トレイ３０がカードコネクタ１の空間７０内の所定の深さまで完全に押し込まれると、ロック機構を構成しているロック爪２４が同じくロック機構を構成しているロック金具３７の係合用開孔３７ｂ内に係合する。これにより、ロック爪２４は、トレイ３０がカードコネクタ１の空間７０内から抜け出ることが防止される。
【００３９】
一方、カード８０後方端に当接している一対の押圧バネ２２ａ、２２ｂは、カード８０を前方に押し戻す。トレイ３０は、ロック機構５０によりカードコネクタ１からの抜け出しを妨げられているので、カード８０の前方端８２は、トレイ３０の前壁部３１内側に形成されているリブ３２の下に入り込み、前壁部３１の内側に押し付けられ、トレイ３０内でがたつくことができないようにその位置が固定される。
【００４０】
また、トレイ３０がカードコネクタ１の空間７０内の所定の深さまで完全に押し込まれたとき、トレイ３０の第２右側壁３４ａ２及び第２左側壁３４ｂ２は、スライダ６０に形成されている、対応する右開孔６１ａ、左開孔６１ｂの真下にそれぞれ位置するので、スライダ６０は、下降することが可能となる。スライダ６０は、自重及びコンタクト４０の弾性力により下降し、したがって、コンタクト４０の接点部４２も下降する。コンタクト４０の接点部４２は、この時点においてカード８０のパッド８１に上から接触する。
【００４１】
このように、トレイロック動作、カード固定動作、及びコンタクト接触動作が同時に実行されることで、図３（ａ）〜（ｄ）に示されるように、カードの装着が完了する。このとき、カード８０は、トレイ３０にしっかりと固定され、所望の位置に配置される。それにより、コンタクト４０がカード８０のパッド８１の上から接触することができ、従来のカード８０の挿入時におけるカード８０の後端から始まるコンタクト４０との摩擦接触がなくなり、コンタクト４０の接点部４２及びカード８０の相互の削れを防止することができる。さらに、コンタクト４０の接点部４２とパッド８１とは、所望の接圧で電気的に確実に接触することが可能となる。
【００４２】
次に、カード８０をカードコネクタ１から取り出すときは、先ず、ロック金具３７の押圧操作部３７ａを下方に押し下げる。その結果、ロック金具３７の弾性変形部３７ｃも下方に変形し、それにより、ロック爪２４とロック金具３７の係合用開孔３７ｂとの係合が解除される。したがって、押圧操作部３７ａを押したまま、トレイ３０を前方に向かって引き出せば、トレイ３０をカードコネクタ１の空間７０から引き出すことが可能となる。このとき、一対の押圧バネ２２ａ、２２ｂの復帰力も加わり、トレイ３０の引き出しは容易に行われる。
【００４３】
また、トレイ３０の引き出しに伴い、スライダ６０は、再度トレイ３０の左右両側壁部３４ａ、３４ｂに押し上げられる。それにより、コンタクト４０の接点部４２は、カード８０から離れ、カード８０との摩擦接触を避けることができる。
【００４４】
トレイ３０を前方に一杯に引き出した後（図２（ａ）〜（ｄ）参照）、板金カバー２０及びトレイ３０の前方切欠凹部を介して下からカード８０前方部分を押し上げ、傾斜させ、その後カード８０の前方部分を摘んでカード８０をトレイ３０から簡単に取り出すことができる。
【００４５】
カード８０取り出し後、カード８０が入っていない状態でトレイ３０をカードコネクタ１の空間７０内に挿入するときは、上記カード装着時と同じ操作を繰り返すが、この場合、一対の押圧バネ２２ａ、２２ｂは、カード８０がないため変形することが無く、したがって、無負荷状態のままであり、バネの寿命を縮めることもない。コンタクト４０も、カード８０が存在しないため、スライダ６０が下方に移動し、図１（ｄ）又は図４に示されるような位置に下降し、ほとんど無負荷状態に等しい。
【図面の簡単な説明】
【００４６】
【図１】本発明に係るトレイタイプのカードコネクタの斜視図であって、このカードコネクタにカードを挿入する直前の状態を示している。
【図２】図１に示されるトレイタイプのカードコネクタであって、（ａ）は、上面図、（ｂ）は、右側面図、（ｃ）は、（ａ）のＡ−Ａ断面図、（ｄ）は、（ａ）のＣ−Ｃ断面図である。
【図３】図１のトレイタイプのカードコネクタであって、このカードコネクタにカードを挿入した後の状態を示しており、（ａ）は、上面図、（ｂ）は左側面図、（ｃ）は、（ａ）のＤ−Ｄ断面図、（ｄ）は、（ａ）のＥ−Ｅ断面図である。
【図４】図１（ｃ）の円Ｂで囲まれた部分の拡大図である。
【図５】図１（ａ）のＦ−Ｆ断面図であり、（ａ）は、スライダがある場合を示し、（ｂ）は、スライダを取り除いた場合を示す。
【図６】図１のトレイタイプのカードコネクタの板金カバーの斜視図である。
【符号の説明】
【００４７】
１              カードコネクタ
１０            インシュレータ
１１            上壁
２０            板金カバー
２１            底壁
２２ａ、２２ｂ  押圧バネ
２４            ロック爪
３０            トレイ
３１            前壁部
３２            リブ
３３            底板
３４ａ          右側壁部
３４ｂ          左側壁部
３５            後壁部
３７            ロック金具
３７ａ          押圧操作部
３８            ロック金具支持部材
４０            コンタクト
５０            トレイロック機構
６０            スライダ
６１ａ、６１ｂ  開孔
６２            凹溝            
７０            （カードコネクタ１の）空間
８０            カード
８１            パッド（外部接点）
【図１】
2006252824.tif 000003
【図２】
2006252824.tif 000004
【図３】
2006252824.tif 000005
【図４】
2006252824.tif 000006
【図５】
2006252824.tif 000007
【図６】
2006252824.tif 000008